(57)【要約】【課題】高トラフィック時間帯でも回線接続状態試験を可能とする。【解決手段】無線通信端末と無線通信回線を介して接続する基地局装置１と、複数の基地局装置１との間で通信回線を設定する交換機２と、を備え、基地局装置１と交換機２とはＩＳＤＮ基本インタフェース回線によって接続されている無線通信システムにおける回線接続状態試験方式であって、基地局装置１及び／又は交換機２は、ＩＳＤＮ基本インタフェース回線の物理層を起動することによって、基地局装置１と交換機２との間の回線の接続状態を試験する。【選択図】  図１
2005151324.tif 000002
【特許請求の範囲】
【請求項１】
無線通信端末と無線通信回線を介して接続する基地局装置と、
複数の前記基地局装置との間で通信回線を設定する交換機と、を備え、
前記基地局装置と前記交換機とはＩＳＤＮ基本インタフェース回線によって接続されている無線通信システムにおける回線接続状態試験方式であって、
前記基地局装置及び／又は前記交換機は、ＩＳＤＮ基本インタフェース回線の物理層を起動することによって、前記基地局装置と前記交換機との間の回線の接続状態を試験することを特徴とする回線接続状態試験方式。
【請求項２】
前記基地局装置と前記交換機とは複数のＩＳＤＮ基本インタフェース回線によって接続されており、
前記基地局装置及び／又は前記交換機は、前記複数のＩＳＤＮ基本インタフェース回線の一つの回線においてＤチャネルの起動状態中に、他の回線の物理層を起動することを特徴とする請求項１に記載の回線接続状態試験方式。
【請求項３】
前記基地局装置及び／又は前記交換機は、前記ＩＳＤＮ基本インタフェース回線のＤチャネルにおいて、呼接続確立のための信号のやりとりとは異なるデータを用いてデータを交換することによって前記基地局装置と前記交換機との間の回線の接続状態を試験することを特徴とする請求項１又は２に記載の回線接続状態試験方式。
【請求項４】
前記基地局装置が回線接続状態の試験を要求することによって、前記基地局装置と前記交換機との間の回線の接続状態の試験が行われることを特徴とする請求項１から３のいずれか一つに記載の回線接続状態試験方式。
【請求項５】
前記交換機は、前記回線の接続状態の試験結果を保存することを特徴とする請求項１から４のいずれか一つに記載の回線接続状態試験方式。
【発明の詳細な説明】
【技術分野】
【０００１】
本発明は、基地局の回線接続状態試験方式に関し、特に、ＩＳＤＮ基本インタフェースを有する基地局の回線接続状態試験方式に関する。
【背景技術】
【０００２】
従来、移動通信システムの基地局では、専用の回線試験装置を交換機に接続して、回線接続試験を行っていた。
【０００３】
図８に、従来の移動通信システムの基地局と交換機との接続状態を示す。基地局１と交換機２とは、ＩＳＤＮ基本インタフェース回線Ａ、Ｂ、Ｃ、Ｄ（交換機２側から見ると、ＩＳＤＮ基本インタフェース回線１、２、３、４）によって接続されている。このうち回線Ａのチャネル構成は２Ｂ＋Ｄであり、他の回線のチャネル構成は２Ｂである。また、交換機２には基地局制御装置３の他、交換機２側での回線接続試験を制御する回線試験装置４が接続されている。
【０００４】
図９に、従来の移動通信システムにおける回線接続状態試験方式を示す。基地局１は、電源が投入されると、既に回線試験が実施されているかを判定する。回線試験が実施されていなければ、交換機２に対して回線試験起動要求信号を送信する。基地局１からの回線試験起動要求を受信した交換機２は、回線試験要求確認信号を送信する。その後、回線試験装置４は、回線Ａを用いて基地局１との間で呼接続し、回線試験装置４から出力されるトーン信号を交換機２を経由して基地局１に送出する。そして、基地局１が回線試験装置４から送出されたトーン信号を検出すると、回線Ａに関する回線試験が終了する。
【０００５】
次に、回線試験装置４は、回線Ａと同様に、回線Ｂ、回線Ｃ、回線Ｄを用いて基地局１との間で呼接続し、回線試験装置４から出力されるトーン信号を各回線を経由して基地局１に送出する。そして、回線数分のトーン信号の検出によって全回線の試験が終了すると、基地局１は交換機２に対して回線試験結果を報告する。
【０００６】
また、ＩＳＤＮ基本インタフェースを有する基地局の回線試験方法として、ＩＳＤＮ基本インタフェース回線のＤチャネルを全回線のアクチブ制御チャネルとし、他のＩＳＤＮ基本インタフェース回線のＤチャネルを予備制御チャネルと指定しておき、アクチブ制御チャネルとした回線の回線試験時のみ、アクチブ制御チャネルを予備制御チャネルに切り換えることによって、全回線の制御に支障なく回線試験を実行するものが提案されている（例えば、特許文献１参照。）。
【特許文献１】特開平９−２３２６９号公報
【発明の開示】
【発明が解決しようとする課題】
【０００７】
しかし、従来の回線接続状態試験方式では、回線接続状態試験のために現実に呼を生じさせていたので、高トラフィック時間帯に回線接続状態試験を行うと、呼損によってリアルタイムに試験を行えない場合があった。すなわち、高トラフィック時間帯は、各回線の接続時に発呼動作が行われるため、発呼動作が多く、呼確立のためのデータがＤチャネルを占有する。よって、回線試験においても呼接続で試験を行うと呼損を生じる原因となるのである。
【課題を解決するための手段】
【０００８】
第１の発明は、無線通信端末と無線通信回線を介して接続する基地局装置と、複数の前記基地局装置との間で通信回線を設定する交換機と、を備え、前記基地局装置と前記交換機とはＩＳＤＮ基本インタフェース回線によって接続されている無線通信システムにおける回線接続状態試験方式であって、前記基地局装置及び／又は前記交換機は、ＩＳＤＮ基本インタフェース回線の物理層を起動することによって、前記基地局装置と前記交換機との間の回線の接続状態を試験することを特徴とする。
【０００９】
第２の発明は、第１の発明において、前記基地局装置と前記交換機とは複数のＩＳＤＮ基本インタフェース回線によって接続されており、前記基地局装置及び／又は前記交換機は、前記複数のＩＳＤＮ基本インタフェース回線の一つの回線においてＤチャネルの起動状態中に、他の回線の物理層を起動することを特徴とする。
【００１０】
第３の発明は、第１又は第２の発明において、前記基地局装置及び／又は前記交換機は、前記ＩＳＤＮ基本インタフェース回線のＤチャネルにおいて、呼接続確立のための信号のやりとりとは異なるデータを用いてデータを交換することによって前記基地局装置と前記交換機との間を接続する回線の接続状態を試験することを特徴とする。
【００１１】
第４の発明は、第１から第３の発明において、前記基地局装置が回線接続状態の試験を要求することによって、前記基地局装置と前記交換機との間の回線の接続状態の試験が行われることを特徴とする。
【００１２】
第５の発明は、第１から第４の発明において、前記交換機は、前記回線の接続状態の試験結果を保存することを特徴とする。
【発明の効果】
【００１３】
本発明では、無線通信端末と無線通信回線を介して接続する基地局装置と、複数の前記基地局装置との間で通信回線を設定する交換機と、を備え、前記基地局装置と前記交換機とはＩＳＤＮ基本インタフェース回線によって接続されている無線通信システムにおける回線接続状態試験方式であって、前記基地局装置及び／又は前記交換機は、ＩＳＤＮ基本インタフェース回線の物理層を起動することによって、呼接続のための信号のやりとりとは異なるデータを用いて前記基地局装置と前記交換機との間の回線の接続状態を試験するので、基地局と回線試験装置との間で呼接続のためのデータのやりとりをすることなく回線接続状態を試験することから、交換機の負荷を軽減することができると共に、輻輳状態にある高トラフィック時間帯であっても回線接続状態を試験することができる。そして、Ｄチャネルを起動することで全回線の接続状態を試験することができる。
【００１４】
また、回線試験装置を使用することなく回線接続状態試験が可能となり、試験のために必要な構成を簡素化することができる。さらに、基地局から自律的に回線接続状態試験を行うことができ、基地局制御装置からの要求によっても試験を行うことができる。そして、交換機は試験結果を保存することができ、試験結果のデータを容易に管理することができる。
【発明を実施するための最良の形態】
【００１５】
以下、本発明の実施の形態を図面を参照して説明する。
【００１６】
図１は、本発明の第１の実施の形態の移動通信システムの基地局と交換機との接続状態を示すブロック図である。
【００１７】
基地局１と交換機２とは、ＩＳＤＮ基本インタフェース回線Ａ、Ｂ、Ｃ、Ｄ（交換機２側から見ると、ＩＳＤＮ基本インタフェース回線１、２、３、４）によって接続されている。このうち回線Ａのチャネル構成は２Ｂ＋Ｄであり、ユーザ信号の伝送に用いられ６４ｋビット／秒の伝送速度のＢチャネル二つと、制御信号の伝送に用いられ１６ｋビット／秒の伝送速度のＤチャネル一つとが組になって構成されている。他の回線のチャネル構成は２Ｂである。
【００１８】
図２は、本発明の第１の実施の形態の移動通信システムにおける回線接続状態試験のシーケンス図である。
【００１９】
基地局１の電源が投入されると（又は、リセットされると）、基地局１から回線Ａのレイヤ１を起動する。このレイヤ１の起動は、基地局１（起動側）から特定のビットパターンの信号（ＩＮＦＯ）を送信する既知の手順で行う。具体的には、基地局１（起動側）から非同期起動信号（ＩＮＦＯ１）を送信し、非同期起動信号を受信した交換機２は同期起動信号（ＩＮＦＯ２）を送信する。同期起動信号を受信した基地局１は同期応答（ＩＮＦＯ３）を送信し、同期応答を受信した交換機２は同期信号（ＩＮＦＯ４）を送信する。その後、基地局１が同期信号を受信することによってレイヤ１の起動が完了する。
【００２０】
その後、基地局１と交換機２との間で回線Ａのレイヤ２、３を起動して、Ｄチャネルでユーザ信号の伝送ができる状態にする。そして、レイヤ２、３の起動に成功すると、基地局１から交換機２側（基地局制御装置３）に対して、現在使用している回線番号を付加した回線試験起動要求信号［１］を送信する。基地局制御装置３は、この回線試験起動要求信号［１］を受信することによって、基地局１のどの回線と接続されているかを判断することができる。基地局１からの回線起動要求信号［１］を受信した基地局制御装置３は、回線Ａのレイヤ１の起動状態を確認する。そして、回線Ａのレイヤ１の起動が確認できたら、回線起動要求確認信号［１］を基地局１に対して送信して、回線Ａのレイヤ１の起動が確認され、回線Ａを検出したことを報知する。
【００２１】
回線Ａが検出され、回線Ａの接続試験が終了すると、基地局制御装置３は回線番号の若い順に回線試験開始信号［回線番号］を送信する。具体的には、まず、基地局制御装置３が基地局１に対し回線試験開始信号［２］を送信して、回線Ｂの接続試験を開始する。基地局制御装置３からの回線試験開始信号［２］を受信した基地局１は、回線試験開始信号で指定された回線（回線Ｂ）のレイヤ１を起動する。そして、基地局１から基地局制御装置３に対して回線試験終了信号［２］を送信する。基地局１からの回線試験終了信号［２］を受信した基地局制御装置３は、回線Ｂのレイヤ１の起動状態を確認する。そして、回線Ｂのレイヤ１の起動が確認できたら、回線試験開始信号［３］を基地局１に対して送信して、次に試験すべき回線を指定する。
【００２２】
次に、回線Ｂと同様の手順で、回線Ｃ、Ｄについて基地局１側からレイヤ１を起動する試験を、回線数分繰り返し行う。
【００２３】
そして、全回線の試験終了後、基地局制御装置３は、回線Ａ、Ｂ、Ｃ、Ｄのレイヤ１の起動に成功した旨の情報を含む回線試験完了信号を基地局１に送信して、接続が確認できた回線の番号を基地局１へ通知する。そして、基地局１は、回線試験完了信号によって接続が確認できた回線Ａ、Ｂ、Ｃ、Ｄを使用する。
【００２４】
図３は、本発明の第２の実施の形態の移動通信システムの基地局と交換機との接続状態を示すブロック図である。
【００２５】
基地局１と交換機２とは、ＩＳＤＮ基本インタフェース回線Ａ、Ｂ、Ｃ、Ｄ（交換機２側から見ると、ＩＳＤＮ基本インタフェース回線２、１、３、４）によって接続されている。このうち回線Ｂのチャネル構成は２Ｂ＋Ｄであり、ユーザ信号の伝送に用いられ６４ｋビット／秒の伝送速度のＢチャネル二つと、制御信号の伝送に用いられ１６ｋビット／秒の伝送速度のＤチャネル一つとが組になって構成されている。他の回線のチャネル構成は２Ｂである。
【００２６】
すなわち、第２の実施の形態の移動通信システムでは、第１の実施の形態の移動通信システムと異なり、基地局１側の回線Ａが交換機２側の回線２に、基地局１側回線Ｂが交換機２側回線１に接続されており、一回線分がクロスして接続されている。
【００２７】
図４は、本発明の第２の実施の形態の移動通信システムにおける回線接続状態試験のシーケンス図である。
【００２８】
基地局１の電源が投入されると（又は、リセットされると）、基地局１から回線Ａのレイヤ１を起動する。その後、基地局１と交換機２との間で回線Ａのレイヤ２、３を起動を試みるが、第２の実施の形態では回線Ａは、Ｄチャネルを有していないので、回線Ａによってはレイヤ２、３を起動することができない。
【００２９】
次に、基地局１は、先に起動した回線１のレイヤ１を停止して、次の回線（回線Ｂ）のレイヤ１を起動し、基地局１と交換機２との間で回線Ｂのレイヤ２、３を起動して、Ｄチャネルでユーザ信号の伝送ができる状態にする。そして、レイヤ２、３の起動に成功すると、基地局１から交換機２側（基地局制御装置３）に対して、現在使用している回線番号を付加した回線試験起動要求信号［１］を送信する。基地局制御装置３は、この回線試験起動要求信号［１］を受信することによって、基地局１のどの回線と接続されているかを判断することができる。基地局１からの回線起動要求信号［１］を受信した基地局制御装置３は、回線Ｂのレイヤ１の起動状態を確認する。そして、回線Ｂのレイヤ１の起動が確認できたら、回線起動要求確認信号［１］を基地局１に対して送信して、回線Ｂのレイヤ１の起動が確認され、回線Ｂを検出したことを報知する。
【００３０】
回線Ｂが検出され、回線Ｂの接続試験が終了すると、基地局制御装置３は回線番号の若い順に回線試験開始信号［回線番号］を送信する。具体的には、まず、基地局制御装置３が基地局１に対し回線試験開始信号［２］を送信して、回線Ａの接続試験を開始する。基地局制御装置３からの回線試験開始信号［２］を受信した基地局１は、回線試験開始信号で指定された回線（回線Ａ）のレイヤ１を起動する。そして、基地局１から基地局制御装置３に対して回線試験終了信号［２］を送信する。基地局１からの回線試験終了信号［２］を受信した基地局制御装置３は、回線Ａのレイヤ１の起動状態を確認する。そして、回線Ａのレイヤ１の起動が確認できたら、回線試験開始信号［３］を基地局１に対して送信して、次に試験すべき回線を指定する。
【００３１】
次に、回線Ａと同様の手順で、回線Ｃ、Ｄについて基地局１側からレイヤ１を起動する試験を、回線数分繰り返し行う。
【００３２】
そして、全回線の試験終了後、基地局制御装置３は、回線Ａ、Ｂ、Ｃ、Ｄのレイヤ１の起動に成功した旨の情報を含む回線試験完了信号を基地局１に送信して、接続が確認できた回線の番号を基地局１へ通知する。そして、基地局１は、回線試験完了信号によって接続が確認できた回線Ａ、Ｂ、Ｃ、Ｄを使用する。
【００３３】
図５は、本発明の第３の実施の形態の移動通信システムの基地局と交換機との接続状態を示すブロック図である。
【００３４】
基地局１と交換機２とは、ＩＳＤＮ基本インタフェース回線Ａ、Ｂ、Ｄ（交換機２側から見ると、ＩＳＤＮ基本インタフェース回線１、２、４）によって接続されている。このうち回線Ａのチャネル構成は２Ｂ＋Ｄであり、ユーザ信号の伝送に用いられ６４ｋビット／秒の伝送速度のＢチャネル二つと、制御信号の伝送に用いられ１６ｋビット／秒の伝送速度のＤチャネル一つとが組になって構成されている。他の回線のチャネル構成は２Ｂである。
【００３５】
すなわち、第３の実施の形態の移動通信システムでは、第１の実施の形態の移動通信システムと異なり、回線Ｃ（回線３）が接続されておらず、基地局１と交換機２とが３本のＩＳＤＮ基本インタフェース回線で接続されている。
【００３６】
図６は、本発明の第３の実施の形態の移動通信システムにおける回線接続状態試験のシーケンス図である。
【００３７】
基地局１の電源が投入されると（又は、リセットされると）、基地局１から回線Ａのレイヤ１を起動する。その後、基地局１と交換機２との間で回線Ａのレイヤ２、３を起動して、Ｄチャネルでユーザ信号の伝送ができる状態にする。そして、レイヤ２、３の起動に成功すると、基地局１から交換機２側（基地局制御装置３）に対して、現在使用している回線番号を付加した回線試験起動要求信号［１］を送信する。基地局制御装置３は、この回線試験起動要求信号［１］を受信することによって、基地局１のどの回線と接続されているかを判断することができる。基地局１からの回線起動要求信号［１］を受信した基地局制御装置３は、回線Ａのレイヤ１の起動状態を確認する。そして、回線Ａのレイヤ１の起動が確認できたら、回線起動要求確認信号［１］を基地局１に対して送信して、回線Ａのレイヤ１の起動が確認され、回線Ａを検出したことを報知する。
【００３８】
回線Ａが検出され、回線Ａの接続試験が終了すると、基地局制御装置３は回線番号の若い順に回線試験開始信号［回線番号］を送信する。具体的には、まず、基地局制御装置３が基地局１に対し回線試験開始信号［２］を送信して、回線Ｂの接続試験を開始する。基地局制御装置３からの回線試験開始信号［２］を受信した基地局１は、回線試験開始信号で指定された回線（回線Ｂ）のレイヤ１を起動する。そして、基地局１から交換機２に対して回線試験終了信号［２］を送信する。基地局１からの回線試験終了信号［２］を受信した基地局制御装置３は、回線Ｂのレイヤ１の起動状態を確認する。そして、回線Ｂのレイヤ１の起動が確認できたら、回線試験開始信号［３］を基地局１に対して送信して、次に試験すべき回線を指定する。
【００３９】
基地局制御装置３からの回線試験開始信号［２］を受信した基地局１は、回線試験開始信号で指定された回線（回線Ｃ）のレイヤ１の起動を試みるが、回線Ｃは接続されていないので、回線Ｃのレイヤ１を起動することができないが、基地局１から交換機２に対して回線試験終了信号［２］を送信する。基地局１からの回線試験終了信号［２］を受信した基地局制御装置３は、回線Ｃのレイヤ１の起動状態を確認する。基地局制御装置３は、回線Ｃのレイヤ１の起動を確認できないが、回線試験開始信号［４］を基地局１に対して送信して、次に試験すべき回線を指定する。
【００４０】
さらに、同様の手順で、回線Ｄについて基地局１側からレイヤ１を起動する接続試験を行う。
【００４１】
そして、全回線の試験終了後、基地局制御装置３は、回線Ａ、Ｂ、Ｄのレイヤ１の起動に成功した旨の情報を含む回線試験完了信号を基地局１に送信して、接続が確認できた回線の番号を基地局１へ通知する。そして、基地局１は、回線試験完了信号によって接続が確認できた回線Ａ、Ｂ、Ｄを使用する。
【００４２】
図７は、本発明の第４の実施の形態の移動通信システムにおける回線接続状態試験のシーケンス図である。
【００４３】
第４の実施の形態の移動通信システムは、第１の実施の形態の移動通信システム（図１）と同じ構成を有する。
【００４４】
基地局１の電源が投入されると（又は、リセットされると）、基地局１から回線Ａのレイヤ１を起動する。その後、基地局１と交換機２との間で回線Ａのレイヤ２、３を起動して、Ｄチャネルでユーザ信号の伝送ができる状態にする。そして、レイヤ２、３の起動に成功すると、基地局１から交換機２側（基地局制御装置３）に対して、現在使用している回線番号を付加した回線試験起動要求信号［１］を送信する。基地局制御装置３は、この回線試験起動要求信号［１］を受信することによって、基地局１側のどの回線と接続されているかを判断することができる。
【００４５】
基地局１は、基地局制御装置３からの回線試験起動要求確認信号を規定時間内に受信できない場合、回線Ｂ、Ｃ、Ｄが起動されていない状態のまま、基地局１をサービス状態へ移行させて、接続が確認できた回線Ａを用いて基地局１の動作を開始する。
【００４６】
その後、基地局１は、基地局制御装置３から回線試験要求信号を受信すると、回線試験要求確認信号［１］を送信する。基地局１からの回線試験要求確認信号［１］を受信した基地局制御装置３は、回線Ａのレイヤ１の起動状態を確認して、回線Ａを検出する。
【００４７】
回線Ａが検出され、回線Ａの接続試験が終了すると、基地局制御装置３は回線番号の若い順に回線試験開始信号［回線番号］を送信する。具体的には、まず、基地局制御装置３が基地局１に対し回線試験開始信号［２］を送信して、回線Ｂの接続試験を開始する。基地局制御装置３からの回線試験開始信号［２］を受信した基地局１は、回線試験開始信号で指定された回線（回線Ｂ）のレイヤ１を起動する。そして、基地局１から基地局制御装置３に対して回線試験終了信号［２］を送信する。基地局１からの回線試験終了信号［２］を受信した基地局制御装置３は、回線Ｂのレイヤ１の起動状態を確認する。そして、回線Ｂのレイヤ１の起動が確認できたら、回線試験開始信号［３］を基地局１に対して送信して、次に試験すべき回線を指定する。
【００４８】
次に、回線Ａと同様の手順で、回線Ｃ、Ｄについて基地局１側からレイヤ１を起動する接続試験を、回線数分繰り返し行う。
【００４９】
そして、全回線の試験終了後、基地局制御装置３は、回線Ａ、Ｂ、Ｃ、Ｄのレイヤ１の起動に成功した旨の情報を含む回線試験完了信号を基地局１に送信して、接続が確認できた回線の番号を基地局１へ通知する。そして、基地局１は、回線試験完了信号によって接続が確認できた回線Ａ、Ｂ、Ｃ、Ｄを使用する。
【産業上の利用可能性】
【００５０】
本発明は、ＩＳＤＮ基本インタフェース回線のように、ＯＳＩモデルのようなレイヤ構成を有する回線の接続状態試験に適用することができる。特に、ＰＨＳシステム等の移動通信システムにおける基地局と交換機との間を接続するＩＳＤＮ基本インタフェース回線の接続状態試験に好適である。
【図面の簡単な説明】
【００５１】
【図１】本発明の第１の実施の形態の移動通信システムの基地局と交換機との接続状態を示すブロック図である。
【図２】本発明の第１の実施の形態の移動通信システムにおける回線接続状態試験のシーケンス図である。
【図３】本発明の第２の実施の形態の移動通信システムの基地局と交換機との接続状態を示すブロック図である。
【図４】本発明の第２の実施の形態の移動通信システムにおける回線接続状態試験のシーケンス図である。
【図５】本発明の第３の実施の形態の移動通信システムの基地局と交換機との接続状態を示すブロック図である。
【図６】本発明の第３の実施の形態の移動通信システムにおける回線接続状態試験のシーケンス図である。
【図７】本発明の第４の実施の形態の移動通信システムにおける回線接続状態試験のシーケンス図である。
【図８】従来の移動通信システムの基地局と交換機との接続状態を示すブロック図である。
【図９】従来の移動通信システムにおける回線接続状態試験のシーケンス図である。
【符号の説明】
【００５２】
１    基地局
２    交換機
３    基地局制御装置
４    回線試験装置
【図１】
2005151324.tif 000003
【図２】
2005151324.tif 000004
【図３】
2005151324.tif 000005
【図４】
2005151324.tif 000006
【図５】
2005151324.tif 000007
【図６】
2005151324.tif 000008
【図７】
2005151324.tif 000009
【図８】
2005151324.tif 000010
【図９】
2005151324.tif 000011